(57)【要約】 【課題】  ユーザーがＨＤＭＩの設定を変更するか、強制的に最も映像の悪い状況に設定してしまっていた。 【解決手段】  ＨＤＭＩケーブル２０でテレビ１０と光ディスクドライブ装置３０を接続すると、両者のテレビ側制御回路２４と光ディスクドライブ側制御回路３６とがテレビ側ＨＤＭＩインターフェイス２５と光ディスクドライブ側ＨＤＭＩインターフェイス３７とＨＤＭＩケーブル２０を介してＣＥＣ機能による通信を開始し、光ディスクドライブ装置３０あるいはテレビ１０の側で、当初、ビット数、解像度とを最高の値に設定し、以下、ＨＤＣＰ認証が成功するまで、対応しているビット数の順で段階的に下げていき、さらに、失敗が続けば解像度を段階的に下げていくようにしたので、できるだけ高画質でＨＤＣＰ認証が成功する組み合わせを見つけられると共に、単に最低の値にするだけでは解消しないＨＤＭＩの相性による不具合も回避できる。 【選択図】  図２
2011160245.tif 000002
【特許請求の範囲】
【請求項１】
映像表示装置と映像記録媒体再生装置とをＨＤＭＩケーブルで接続して互いに通信が可能であり、それぞれ段階的に異なる複数の解像度とディープカラーの設定が可能な映像視聴システムであって、 
上記映像記録媒体再生装置は、 
最初に、上記ディープカラーの深度を最も上げるとともに、上記解像度を最も高解像度に設定し、 
上記映像表示装置との間でＨＤＣＰ認証が失敗した場合は、上記通信を介して上記ディープカラーと上記解像度の設定を段階的に下げていきながらＨＤＣＰ認証が成功するまでＨＤＣＰ認証を繰り返し、 
上記映像表示装置は、 
上記映像記録媒体再生装置から通信で通知される解像度とディープカラーとに設定し、設定された状態でＨＤＣＰ認証を繰り返すことを特徴とする映像視聴システム。 
【請求項２】
先にディープカラーの設定を段階的に下げていき、所定の段階に下げてもＨＤＣＰ認証が成功しない場合に、解像度の設定を段階的に下げていくことを特徴とする請求項１に記載の映像視聴システム。 
【請求項３】
上記映像表示装置は、ＨＤＣＰ認証が成功した場合に、相手側のＥＤＩＤ情報と、解像度とディープカラーの設定を保存し、互いに通信を開始するときには保存してあるＥＤＩＤ情報を読み出し、相手側のＥＤＩＤ情報と比較し、一致した場合には保存してある解像度とディープカラーの設定で映像を出力することを特徴とする請求項１または請求項２に記載の映像視聴システム。 
【請求項４】
映像表示装置と映像記録媒体再生装置とをＨＤＭＩケーブルで接続してＣＥＣ機能で互いに通信が可能であり、それぞれ段階的に異なる複数の解像度とディープカラーの設定が可能な映像視聴システムであって、 
上記映像記録媒体再生装置は、 
上記ＣＥＣ機能で互いに通信を開始するときには保存してあるＥＤＩＤ情報を読み出し、相手側のＥＤＩＤ情報と比較し、一致した場合には保存してある解像度とディープカラーの設定で映像を出力するものの、一致しない場合には、最初に、上記ディープカラーの深度を最も上げるとともに、上記解像度を最も高解像度に設定し、 
上記映像表示装置との間でＨＤＣＰ認証が失敗した場合は、上記ＣＥＣ機能による通信を介して上記ディープカラーと上記解像度の設定を段階的に下げていきながらＨＤＣＰ認証が成功するまでＨＤＣＰ認証を繰り返すにあたり、先にディープカラーの設定を段階的に下げていき、所定の段階に下げてもＨＤＣＰ認証が成功しない場合に、解像度の設定を段階的に下げていくこととし、ＨＤＣＰ認証が成功した場合に、相手側のＥＤＩＤ情報と、解像度とディープカラーの設定を保存するとともに、 
上記映像表示装置は、 
上記映像記録媒体再生装置から通信で通知される解像度とディープカラーとに設定し、設定された状態でＨＤＣＰ認証を繰り返すことを特徴とする請求項１に記載の映像視聴システム。 
【請求項５】
映像表示装置とＨＤＭＩケーブルで接続して通信が可能であり、それぞれ段階的に異なる複数の解像度とディープカラーの設定が可能な映像記録媒体再生装置であって、 
最初に、上記ディープカラーの深度を最も上げるとともに、上記解像度を最も高解像度に設定し、 
上記映像表示装置との間でＨＤＣＰ認証が失敗した場合は、上記通信を介して上記ディープカラーと上記解像度の設定を段階的に下げていきながらＨＤＣＰ認証が成功するまでＨＤＣＰ認証を繰り返すことを特徴とする映像記録媒体再生装置。 
【請求項６】
映像記録媒体再生装置とＨＤＭＩケーブルで接続して互いに通信が可能であり、それぞれ段階的に異なる複数の解像度とディープカラーの設定が可能な映像表示装置であって、 
本映像表示装置の側で、上記通信で、相手側の映像記録媒体再生装置で、上記ディープカラーの深度を最も上げるとともに、上記解像度を最も高解像度に設定させ、 
上記映像記録媒体再生装置との間でＨＤＣＰ認証が失敗した場合は、上記通信を介して自らの設定と相手側の映像記録媒体再生装置の設定を上記ディープカラーと上記解像度に関して段階的に下げていきながらＨＤＣＰ認証が成功するまでＨＤＣＰ認証を繰り返すことを特徴とする映像表示装置。 
【発明の詳細な説明】
【技術分野】
【０００１】
本発明は、映像記録媒体再生装置にて映像記録媒体を再生して映像表示装置にて視聴する映像視聴システムに関し、特に、ＨＤＭＩケーブルで接続してＣＥＣ機能で互いに通信が可能な映像視聴システムに関する。 
【背景技術】
【０００２】
ＨＤＭＩは特定機器間でのみ発生する不具合がある。その中に特定の解像度出力やディープカラー（ＤｅｅｐＣｏｌｏｒ）出力でＨＤＣＰ認証に成功せず、ＨＤＭＩが出力されない不具合がある。 
このような解像度やディープカラーの設定を変更する技術として、以下の技術が知られている。 
特許文献１には、図４と図９、および段落００２９，００３０に、「再認証を繰り返す場合、一旦暗号化処理を停止（Ｓ１３）、ＨＤＭＩ映像送信装置は受信装置のＥＤＩＤデータから映像音声フォーマットを読み取り、『フォーマットを４８０ｐへ変更』へのメッセージを表示する（Ｓ１５）。画質の劣化を少なくする（量子化を少ないビットへ変更する）」旨が開示されている。 
【０００３】
特許文献２には、図２と図３、および段落００１５に、「リモコン装置のＨＤＭＩキーが１回押されると、モニタ装置２の解像度は４８０ｐとなる。さらにＨＤＭＩキーが押されると解像度は７２０ｐに変更され、その後ＨＤＭＩキーが押されると解像度は１０８０ｉに変更される」旨が開示されている。 
特許文献３には、図１、および段落００４１，００４２に、「認証の完了によってＥＤＩＤの内容などをＨＤＭＩを通して送受信する。信号出力側の機器１ｂはＥＤＩＤの内容を信号変換部６、ＨＤＭＩ制御７を介してメモり８に取り込む。」旨が開示されている。 
【先行技術文献】
【特許文献】
【０００４】
【特許文献１】特開２００８−１９３１６８号公報
【特許文献２】特開２００７−１５０４６９号公報
【特許文献３】特開２００８−５４１７２号公報
【発明の概要】
【発明が解決しようとする課題】
【０００５】
上述した従来の技術には、以下のような課題があった。 
特許文献１に示す技術では、再認証を繰り返す場合に、強制的に最も映像の悪い状況に設定してしまうため、一気に画質が悪くなってしまう。特に、ＨＤＣＰ認証における相性の問題もあり、最も映像の悪い状況に設定することが必ずしも最善策ではないので、根本的な解決策とはいえない。 
【０００６】
また、特許文献２に示す技術では、ＨＤＣＰ認証が成功するか否かにかかわらず、解像度を変更しているにすぎない。 
さらに、特許文献３に示す技術でも、ＥＤＩＤの保存を開示するものの、ＨＤＣＰ認証の成否には無関係である。 
本発明は、上述した不具合を回避するため、自動でディスク再生装置からの出力を変更して、ＨＤＣＰ認証が成功する条件を探してＨＤＭＩを出力させることを目的とする。 
【課題を解決するための手段】
【０００７】
本発明は、映像表示装置と映像記録媒体再生装置とをＨＤＭＩケーブルで接続して互いに通信が可能であり、それぞれ段階的に異なる複数の解像度とディープカラーの設定が可能な映像視聴システムであって、上記映像記録媒体再生装置は、最初に、上記ディープカラーの深度を最も上げるとともに、上記解像度を最も高解像度に設定し、上記映像表示装置との間でＨＤＣＰ認証が失敗した場合は、上記通信を介して上記ディープカラーと上記解像度の設定を段階的に下げていきながらＨＤＣＰ認証が成功するまでＨＤＣＰ認証を繰り返し、上記映像表示装置は、上記映像記録媒体再生装置から通信で通知される解像度とディープカラーとに設定し、設定された状態でＨＤＣＰ認証を繰り返す構成としてある。 
【０００８】
上記構成において、その前提として、映像視聴システムを構成する映像表示装置と映像記録媒体再生装置とはＨＤＭＩケーブルで接続され、例えば、ＣＥＣ機能などで、互いに通信が可能となっており、かつ、それぞれが段階的に異なる複数の解像度とディープカラーの設定が可能なものである。この場合に、上記映像記録媒体再生装置は、最初に、上記ディープカラーの深度を最も上げるとともに、上記解像度を最も高解像度に設定する。そして、上記映像表示装置との間でＨＤＣＰ認証が失敗した場合は、上記ＣＥＣ機能などによる通信を介して上記ディープカラーと上記解像度の設定を段階的に下げていきながらＨＤＣＰ認証が成功するまでＨＤＣＰ認証を繰り返す。また、他方映像表示装置は、上記映像記録媒体再生装置から通信で通知される解像度とディープカラーとに設定し、設定された状態でＨＤＣＰ認証を繰り返す。 
【０００９】
すなわち、ＨＤＣＰ認証が成功しない場合に、自動で、段階的に、解像度、量子化ビット数を減らしていく。単に、解像度や量子化ビット数を減らすだけでは解消されないＨＤＭＩの不具合を解消する最適な組み合わせを探し出すことができる。さらに、段階的に下げていくので、ＨＤＣＰ認証が成功する場合は最も映像のきれいな状況とすることもできる。 
【００１０】
また、先にディープカラーの設定を段階的に下げていき、所定の段階に下げてもＨＤＣＰ認証が成功しない場合に、解像度の設定を段階的に下げていく構成としてもよい。 
解像度の低下は顕著な画質の低下と感じるので、画質の低下を感じにくいディープカラーの設定を先に行ない、ＨＤＣＰ認証が成功するときには、最も解像度の高い状態を維持できる。 
【００１１】
さらに、上記映像表示装置は、ＨＤＣＰ認証が成功した場合に、相手側のＥＤＩＤ情報と、解像度とディープカラーの設定を保存し、互いに通信を開始するときには保存してあるＥＤＩＤ情報を読み出し、相手側のＥＤＩＤ情報と比較し、一致した場合には保存してある解像度とディープカラーの設定で映像を出力する構成としてもよい。 
【００１２】
ＨＤＭＩの不具合は特定の相手側で起きることから、相手側のＥＤＩＤ情報と対応させてＨＤＣＰ認証が成功した解像度とディープカラーの状況を記憶しておくことにより、次回以降は、保存してあるＥＤＩＤ情報が相手側と一致するか比較し、一致した場合には保存してある解像度とディープカラーの設定で映像を出力することで、繰り返しＨＤＣＰ認証を実行しなくてもよくなる。 
【００１３】
また、上記の統合として、映像表示装置と映像記録媒体再生装置とをＨＤＭＩケーブルで接続してＣＥＣ機能で互いに通信が可能であり、それぞれ段階的に異なる複数の解像度とディープカラーの設定が可能な映像視聴システムであって、上記映像記録媒体再生装置は、上記ＣＥＣ機能で互いに通信を開始するときには保存してあるＥＤＩＤ情報を読み出し、相手側のＥＤＩＤ情報と比較し、一致した場合には保存してある解像度とディープカラーの設定で映像を出力するものの、一致しない場合には、最初に、上記ディープカラーの深度を最も上げるとともに、上記解像度を最も高解像度に設定し、上記映像表示装置との間でＨＤＣＰ認証が失敗した場合は、上記ＣＥＣ機能による通信を介して上記ディープカラーと上記解像度の設定を段階的に下げていきながらＨＤＣＰ認証が成功するまでＨＤＣＰ認証を繰り返すにあたり、先にディープカラーの設定を段階的に下げていき、所定の段階に下げてもＨＤＣＰ認証が成功しない場合に、解像度の設定を段階的に下げていくこととし、ＨＤＣＰ認証が成功した場合に、相手側のＥＤＩＤ情報と、解像度とディープカラーの設定を保存するとともに、上記映像表示装置は、上記映像記録媒体再生装置から通信で通知される解像度とディープカラーとに設定し、設定された状態でＨＤＣＰ認証を繰り返す構成としてもよい。 
【００１４】
さらに、本発明の思想は、映像表示装置と映像記録媒体再生装置とからなる映像視聴システムのみでなく、その構成要素のそれぞれにおいても実施できることはいうまでもない。 
従って、映像表示装置とＨＤＭＩケーブルで接続して、通信が可能であり、それぞれ段階的に異なる複数の解像度とディープカラーの設定が可能な映像記録媒体再生装置であって、最初に、上記ディープカラーの深度を最も上げるとともに、上記解像度を最も高解像度に設定し、上記映像表示装置との間でＨＤＣＰ認証が失敗した場合は、上記通信を介して上記ディープカラーと上記解像度の設定を段階的に下げていきながらＨＤＣＰ認証が成功するまでＨＤＣＰ認証を繰り返すという構成としてもよい。 
【００１５】
また、映像記録媒体再生装置とＨＤＭＩケーブルで接続して互いに通信が可能であり、それぞれ段階的に異なる複数の解像度とディープカラーの設定が可能な映像表示装置であって、本映像表示装置の側で、上記通信で、相手側の映像記録媒体再生装置で、上記ディープカラーの深度を最も上げるとともに、上記解像度を最も高解像度に設定させ、上記映像記録媒体再生装置との間でＨＤＣＰ認証が失敗した場合は、上記通信を介して自らの設定と相手側の映像記録媒体再生装置の設定を上記ディープカラーと上記解像度に関して段階的に下げていきながらＨＤＣＰ認証が成功するまでＨＤＣＰ認証を繰り返すように構成してもよい。 
【００１６】
この場合は、映像表示装置の側が主体となり、相手側の映像記録媒体再生装置での設定を段階的に下げるように指示し、成功する組み合わせを探ることになる。 
【発明の効果】
【００１７】
本発明によれば、自動でＨＤＭＩ出力させるので、ユーザーがＨＤＭＩの設定を変えて不具合を回避させる必要がなく、ユーザーにとって便利である。また、一気に最低の映像表示環境としないので、できるだけよい映像を表示できる。特に、単に最低の映像表示環境とするだけでは相性の問題を解決できないので、段階的に組み合わせを変えていく構成として、確実に表示できる環境を探し出すことができる。 
【図面の簡単な説明】
【００１８】
【図１】本発明が適用される映像視聴システムをブロック図である。
【図２】本発明で実施するフローチャートである。
【発明を実施するための形態】
【００１９】
以下、図面にもとづいて本発明の実施形態を説明する。 
図１は、本発明が適用される映像視聴システムをブロックにより示している。 
本発明の映像視聴システムは、映像表示装置であるテレビと、映像記録媒体再生装置である光ディスクドライブ装置とを、ＨＤＭＩケーブルで接続してＣＥＣ機能で互いに通信が可能としている。 
同図において、テレビ１０におけるテレビ側チューナ１１は、アンテナ１２を介してテレビ放送を受信する。テレビ処理回路１３はテレビ側チューナ１１に対して所定のチャンネルのテレビ放送を受信させるとともに、テレビ放送の受信信号から映像信号と音声信号とを出力する。また、その前提としてテレビ側操作パネル１４を介してユーザの操作を入力している。 
【００２０】
映像信号は画像処理回路１５に出力され、同画像処理回路１５は液晶パネルユニット１６で映像を表示するための信号に変換して出力する。液晶パネルユニット１６はパネル駆動回路１７と、液晶パネル１８と、バックライトユニット１９とを有しており、画像処理回路１５の出力信号に基づいてパネル駆動回路１７が液晶パネル１８の各画素を駆動させて映像を形成しつつ、バックライトユニット１９が同液晶パネル１８の背面から透過光を照射し、同液晶パネル１８の表面に視認可能な映像を表示させる。 
【００２１】
音声信号は音声回路２１に出力され、テレビ側操作パネル１４のボリューム調整操作に対応した音量となるように増幅され、スピーカ２２から音声として出力される。 
また、本テレビ１０全体の統合的な制御はテレビ側制御回路２４が実施しており、より具体的には、テレビ側操作パネル１４での操作を受け付け、テレビ処理回路１３での各種の制御及びテレビ側チューナ１１におけるテレビ放送の受信、画像処理回路１５での画像処理、テレビ側ＨＤＭＩインターフェイス２５を介する外部機器との通信などを行う。 
【００２２】
光ディスクドライブ装置３０は、ＤＶＤやブルーレイディスクなどの光ディスクを再生する光ディスクドライブ３４と、同光ディスクドライブ３４で光ディスクを再生させる再生制御回路３３と、ユーザからの操作を受け付ける光ディスクドライブ側操作パネル３５と、総合的な制御を行なう光ディスクドライブ側制御回路３６と、外部機器と接続可能な光ディスクドライブ側ＨＤＭＩインターフェイス３７とを備えている。 
【００２３】
ここで、光ディスクドライブ側制御回路３６は光ディスクドライブ側操作パネル３５での操作を受け付け、再生制御回路３３による光ディスクの再生、および光ディスクドライブ側ＨＤＭＩインターフェイス３７を介する外部機器との通信などを行う。 
なお、テレビ側ＨＤＭＩインターフェイス２５と光ディスクドライブ側ＨＤＭＩインターフェイス３７とをＨＤＭＩケーブル２０で接続し、ＣＥＣ機能による通信を介してテレビ側制御回路２４と光ディスクドライブ側制御回路３６とは通信が可能となっている。 
【００２４】
ＣＥＣ機能には、予め規格で定められた標準的なコマンドや応答に加え、規格でベンダーに許容される予備的なコマンドや応答が可能である。本実施例では、いずれの方法でも良いものの、光ディスクドライブ装置３０の側からテレビ１０の側に対して、 
対応ディープカラーのビット数の問い合わせおよび回答の受領、 
ディープカラーのビット数の指定、 
対応解像度の問い合わせおよび回答の受領、 
解像度の指定、 
が可能であり、テレビ１０の側から光ディスクドライブ装置３０の側に対して、 
対応ディープカラーのビット数の問い合わせの受領および回答、 
ディープカラーのビット数の指定の受領および対応、 
対応解像度の問い合わせの受領および回答、 
解像度の指定の受領および対応、 
は可能であるものとする。すなわち、光ディスクドライブ装置３０の側もテレビ１０の側も、それぞれ段階的に異なる複数の解像度とディープカラーの設定が可能であることを前提とし、それらの通信による問い合わせ、回答、設定が可能となっている。 
なお、本実施例では、通信にはＣＥＣ機能を利用しているが、他の通信規格を利用することも可能である。これは、一般的な規格のみならず、ベンダー独自の通信規格であっても構わない。 
【００２５】
一般的に光ディスクドライブ装置３０から出力するＨＤＭＩの解像度のデフォルト設定は、”自動”である。この設定にするとＣＥＣ機能による通信を介して映像表示装置であるテレビ１０の側（ＥＤＩＤ）で対応している最高の解像度を取得し、同解像度で出力する。 
また、ディープカラー（ＤｅｅｐＣｏｌｏｒ）のデフォルト設定も”自動”であり、この設定にするとＣＥＣ機能による通信を介して映像表示装置であるテレビ１０の側（ＥＤＩＤ）で対応している最高のビット数を取得し、同ビット数で出力する。 
【００２６】
しかし、解像度が大きくなったり、ビット数が大きくなると、データの転送速度が速くなるため、不具合も出やすくなる。従来であれば、ユーザーがＨＤＭＩの設定を変更して不具合を回避すせざるを得なかった。 
そこで、”自動”設定でＨＤＣＰ認証に成功せず、何回かリトライしても成功しない場合、自動でディープカラー（ＤｅｅｐＣｏｌｏｒ）のビット数を減らして、ＨＤＣＰ認証に挑戦する。ビット数は１６ｂｉｔ→１２ｂｉｔ→１０ｂｉｔ→８ｂｉｔ（ＤｅｅｐＣｏｌｏｒ＝ＯＦＦ）の順で減らす。８ｂｉｔでもＨＤＣＰ認証に成功しない場合は解像度を小さくしてＨＤＣＰ認証に挑戦する。解像度は１０８０ｐ→１０８０ｉ→７２０ｐ→４８０ｐ（５７６ｐ）の順で減らす。 
【００２７】
図２は本発明で実施するフローチャートである。 
同図のフローチャートは、光ディスクドライブ装置３０の側を主体に記載しているが、ＣＥＣ機能による通信で相手側のテレビ１０と通信をしており、テレビ１０の側ではディープカラーや解像度が指定されれば、それを受領すると共に指定された設定に変更する処理を行うものとする。 
まず、ステップ１１では、ビット数、解像度をテレビ１０（ＥＤＩＤ）で対応している最高の値に設定する（ディープカラーの深度を最も上げ、解像度を高解像度にする）。ただし、前と同じ機器の場合は保存した設定値を使用する。 
【００２８】
すなわち、ＨＤＭＩケーブル２０でテレビ１０と光ディスクドライブ装置３０を接続すると、両者のテレビ側制御回路２４と光ディスクドライブ側制御回路３６とがテレビ側ＨＤＭＩインターフェイス２５と光ディスクドライブ側ＨＤＭＩインターフェイス３７とＨＤＭＩケーブル２０を介してＣＥＣ機能による通信を開始し、互いに相手側の情報を取得しようとする。 
【００２９】
そして、光ディスクドライブ装置３０の側では少なくとも相手の表示装置であるテレビ１０が対応している最高の解像度とディープカラーのビット数を問合せる。また、テレビ１０の側ではこの問い合わせに対して自己が対応している最高の解像度とディープカラーのビット数を回答する。この結果、ＨＤＭＩのモードが”自動”であるなら、光ディスクドライブ装置３０は、ビット数、解像度をテレビ１０（ＥＤＩＤ）で対応している最高の値に設定する。 
【００３０】
次に、ステップ１２では、ＨＤＣＰ認証成功か否かを判断する。光ディスクドライブ装置３０は最初であれば上述したようにビット数、解像度をテレビ１０で対応している最高の値に設定するが、映像を高品質とすればデータの転送速度が速くなるため、不具合も出やすくなる。ＨＤＭＩケーブル２０で通信する機器間では、ＨＤＭＩでの転送に際し、正確に出力し、受領されたか否かを所定の間隔で検証するべく、ＨＤＣＰ認証を行う。ＨＤＣＰ認証が成功したということは、そのデータの転送速度で通信が正確に行われていることを意味する。 
【００３１】
通常は両方の機器で対応しているビット数、解像度であれば、ＨＤＣＰ認証も成功するはずであるが、ＨＤＭＩでは特定機器間で不具合が発生することがある。一般的には相性の影響といえる。 
このためＨＤＣＰ認証失敗の場合は、ステップ１３にてビット数が「８」か否かを判断し、ビット数が「８」になっていないのであれば、ステップ１４にてビット数を減らし、減らしたビット数のもとでステップ１５にてＨＤＣＰ認証成功か否かを判断する。ここでは、光ディスクドライブ装置３０の側からテレビ１０の側に通信でビット数を通知し、通知を受領したテレビ１０の側は指定された設定とする。そして、再度、ステップ１３から繰り返す。 
【００３２】
言い換えると、ＨＤＣＰ認証が成功するまでは段階的にディープカラーのビット数を減らしていく。上述したように、ビット数は１６ｂｉｔ→１２ｂｉｔ→１０ｂｉｔ→８ｂｉｔの順で減らす。なお、この間は、解像度については変更を指示しないので、最大の解像度のままである。先にディープカラーから落としていくのは、ユーザーは解像度には敏感であり、解像度を落とすとユーザーはすぐさま画像の品質の低下を検知できてしまう。これに対して、ディープカラーは解像度ほど画像の品質の低下を検知しやすくないので、できるだけ解像度は高く保持しておき、ディープカラーのビット数だけで対応できる間はそのようにすることで、ユーザーに不満を感じさせないようにできる。 
【００３３】
しかし、ビット数を減らしていってもＨＤＣＰ認証が成功しないまま、ビット数が「８」となると、それ以上はビット数を減らせないので、ステップ１６にて現在の解像度が最低（４８０ｐ）を下回っていないか確認した後、ステップ１７にて解像度を減らし、ステップ１８にてＨＤＣＰ認証が成功したか判断する処理を繰り返す。 
言い換えると、ＨＤＣＰ認証が成功するまでは段階的に解像度を減らしていく。上述したように、解像度は１０８０ｐ→１０８０ｉ→７２０ｐ→４８０ｐ（５７６ｐ）の順で減らす。解像度を減らしていくと、データの転送速度も徐々に遅くなっていく。この結果、論理的には徐々にＨＤＣＰ認証が成功する可能性が高まる。そして、どの段階かでＨＤＣＰ認証が成功すると、その設定で映像の表示を開始する。 
【００３４】
また、ステップ１９では、そのビット数、解像度を保存する。なお、このビット数と解像度はＥＤＩＤ情報と対応づけて記憶する。これは、最近接続されたＥＤＩＤ情報を保存しておき、全く同じＥＤＩＤが再接続されると、上記の要領で変更した解像度、ビット数で出力するためである。 
より具体的には、先のステップ１１にて、「前と同じ機器の場合は保存した設定値を使用する」というのが、この保存してあるＥＤＩＤ情報を読み出し、現在接続されている映像表示装置が、以上のようにしてＨＤＣＰ認証を成功させた機器であるか否かをＥＤＩＤ情報を比較して判断し、一致すれば保存しておいた設定値を使用するということになる。このようにすると、接続を開始するたびにビット数と解像度とを段階的に下げていきながら、ＨＤＣＰ認証が成功する組み合わせを探すための時間を節約できることになる。 
【００３５】
なお、以上のようにして段階的に下げていったにもかかわらず、ＨＤＣＰ認証が成功しなかった場合は、ステップ２０にてＨＤＣＰ認証失敗と判断する。 
ところで、最初に説明したように以上の処理は光ディスクドライブ装置３０の側が、テレビ１０のビット数や解像度を指示するものとして説明した。しかし、このように段階的に下げていく処理を光ディスクドライブ装置３０のような映像記録媒体再生装置が実現できないものだとしても、テレビ１０の側が主体的に同等の処理を実現することが可能である。この場合も、基本的な処理の流れは図２に示すフローチャートと同じである。すなわち、ＨＤＣＰ認証の結果を判断しながら、あくまでもテレビ１０の側が光ディスクドライブ装置３０の側に、ビット数の指定と、解像度の指定を指示するだけである。 
【００３６】
このようにすることで、映像記録媒体再生装置だけでなく、映像表示装置の側でも、効果的にＨＤＭＩの特定機器間での不具合の対策を実現できることになる。 
このように、光ディスクドライブ装置３０あるいはテレビ１０の側で、当初、ビット数、解像度とを最高の値に設定し、以下、ＨＤＣＰ認証が成功するまで、対応しているビット数の順で段階的に下げていき、さらに、失敗が続けば解像度を段階的に下げていくようにしたので、できるだけ高画質でＨＤＣＰ認証が成功する組み合わせを見つけられると共に、単に最低の値にするだけでは解消しないＨＤＭＩの相性による不具合も回避できる。 
【００３７】
なお、本発明は上記実施例に限られるものでないことは言うまでもない。当業者であれば言うまでもないことであるが、 
・上記実施例の中で開示した相互に置換可能な部材および構成等を適宜その組み合わせを変更して適用すること 
・上記実施例の中で開示されていないが、公知技術であって上記実施例の中で開示した部材および構成等と相互に置換可能な部材および構成等を適宜置換し、またその組み合わせを変更して適用すること 
・上記実施例の中で開示されていないが、公知技術等に基づいて当業者が上記実施例の中で開示した部材および構成等の代用として想定し得る部材および構成等と適宜置換し、またその組み合わせを変更して適用すること 
は本発明の一実施例として開示されるものである。 
【符号の説明】
【００３８】
１０…テレビ、１１…テレビ側チューナ、１２…アンテナ、１３…テレビ処理回路、１４…テレビ側操作パネル、１５…画像処理回路、１６…液晶パネルユニット、１７…パネル駆動回路、１８…液晶パネル、１９…バックライトユニット、２０…ＨＤＭＩケーブル、２１…音声回路、２２…スピーカ、２４…テレビ側制御回路、２５…テレビ側ＨＤＭＩインターフェイス、３０…光ディスクドライブ装置、３３…再生制御回路、３４…光ディスクドライブ、３５…光ディスクドライブ側操作パネル、３６…光ディスクドライブ側制御回路、３７…光ディスクドライブ側ＨＤＭＩインターフェイス。 
【図１】
2011160245.tif 000003
【図２】
2011160245.tif 000004